(57)【要約】永久磁石モータ、圧縮機及び冷凍システムであって、永久磁石モータ（１）において、固定子（１１）の最小内周の輪郭円の直径Ｄ（ｍ）、回転子（１２）の最大外周の輪郭円の直径ｄ（ｍ）、固定子・回転子の平均隙間でのエアギャップ磁束密度の基本波振幅Ｂｍ１（Ｔ）、回転子（１２）の軸方向の長さＬ（ｍ）、各相の巻線の総直列巻数Ｎｓ、及び永久磁石モータに給電するコンバーターの変換前の直流母線電圧Ｕｄｃ（Ｖ）が、０．００３Ｕｄｃ≦（Ｄ＋ｄ）×Ｌ×Ｂｍ１×Ｎｓ≦０．００８Ｕｄｃに設定され、ここでＤ、ｄ、Ｂｍｌ、Ｌ、Ｕｄｃは、いずれも単位なしの値である。【選択図】図１
2020524477.tif 000002
【特許請求の範囲】
【請求項１】
固定子と回転子とを有し、前記固定子が固定子鉄芯と固定子巻線とを有し、前記回転子が回転子鉄芯と回転子鉄芯に設置される永久磁石とを有する永久磁石モータであって、
前記固定子巻線は、Ａ相巻線、Ｂ相巻線及びＣ相巻線を含み、前記Ａ相巻線の第２群のジョイントと前記Ｂ相巻線の第１群のジョイントが同一の引き出し線に接続され、前記Ｂ相巻線の第２群のジョイントと前記Ｃ相巻線の第１群のジョイントが同一の引き出し線に接続され、前記Ｃ相巻線の第２群のジョイントと前記Ａ相巻線の第１群のジョイントが同一の引き出し線に接続され、
前記固定子の最小内周の輪郭円の直径Ｄ（ｍ）、前記回転子の最大外周の輪郭円の直径ｄ（ｍ）、前記固定子と回転子との平均隙間でのエアギャップ磁束密度の基本波振幅Ｂｍ１（Ｔ）、前記回転子の軸方向の長さＬ（ｍ）、各相の巻線の総直列巻数Ｎｓ、及び永久磁石モータに給電するコンバーターの変換前の直流母線電圧Ｕｄｃ（Ｖ）が、０．００３Ｕｄｃ≦（Ｄ＋ｄ）×Ｌ×Ｂｍ１×Ｎｓ≦０．００８Ｕｄｃに設定され、ここで、Ｄ、ｄ、Ｂｍｌ、Ｌ、Ｕｄｃは、いずれも単位なしの値である、
ことを特徴とする永久磁石モータ。
【請求項２】
前記Ｕｄｃは、２５０≦Ｕｄｃ≦５４０を満たす、
ことを特徴とする請求項１に記載の永久磁石モータ。
【請求項３】
１．２≦（Ｄ＋ｄ）×Ｌ×Ｂｍ１×Ｎｓ≦４．０である、
ことを特徴とする請求項２に記載の永久磁石モータ。
【請求項４】
前記Ｕｄｃは、Ｕｄｃ≦７２を満たす、
ことを特徴とする請求項１〜３のいずれか１項に記載の永久磁石モータ。
【請求項５】
０．０３≦（Ｄ＋ｄ）×Ｌ×Ｂｍ１×Ｎｓ≦０．５である、
ことを特徴とする請求項４に記載の永久磁石モータ。
【請求項６】
各相の巻線は、１つまたは２つ以上のコイル群を有する、
ことを特徴とする請求項１〜５のいずれか１項に記載の永久磁石モータ。
【請求項７】
前記Ａ相巻線の第２群のジョイントと前記Ｂ相巻線の第１群のジョイントは、同じ時点で電流が同一の位相を有し、前記Ｂ相巻線の第２群のジョイントと前記Ｃ相巻線の第１群のジョイントは、同じ時点で電流が同一の位相を有し、前記Ｃ相巻線の第２群のジョイントと前記Ａ相巻線の第１群のジョイントは、同じ時点で電流が同一の位相を有する、
ことを特徴とする請求項１〜６のいずれか１項に記載の永久磁石モータ。
【請求項８】
請求項１〜７のいずれか１項に記載の永久磁石モータを備える、
ことを特徴とする圧縮機。
【請求項９】
請求項８に記載の圧縮機と、
前記圧縮機に接続され、インバータを有するコンバーターと、を備える、
ことを特徴とする冷凍システム。
【請求項１０】
前記コンバーターは、さらに、整流器を有する、
ことを特徴とする請求項９に記載の冷凍システム。  
【発明の詳細な説明】
【技術分野】
【０００１】
本発明は、冷却技術分野に関し、特に永久磁石モータ、圧縮機及び冷凍システムに関する。
【背景技術】
【０００２】
関連技術では、圧縮機分野において、永久磁石モータの固定子は、スター接続される巻線を使用してきた。従来技術では、一部の高出力または低電圧の場合には、巻線導体が太く、製造性が低く、また性能も低下してしまう。
【発明の概要】
【０００３】
本発明は、関連技術の技術課題の１つを少なくともある程度まで解決することを目的とする。そのために、本発明の１つの目的は、エネルギー効率が高い永久磁石モータを提供することである。
【０００４】
本発明は、さらに、圧縮機及び冷凍システムを提供する。
【０００５】
本発明の実施例による永久磁石モータは、固定子と回転子とを有し、前記固定子が固定子鉄芯と固定子巻線とを有し、前記回転子が回転子鉄芯と回転子鉄芯に設置される永久磁石とを有し、前記固定子巻線は、Ａ相巻線、Ｂ相巻線及びＣ相巻線を含み、前記Ａ相巻線の第２群のジョイントと前記Ｂ相巻線の第１群のジョイントが同一の引き出し線に接続され、前記Ｂ相巻線の第２群のジョイントと前記Ｃ相巻線の第１群のジョイントが同一の引き出し線に接続され、前記Ｃ相巻線の第２群のジョイントと前記Ａ相巻線の第１群のジョイントが同一の引き出し線に接続され、前記固定子の最小内周の輪郭円の直径Ｄ（ｍ）、前記回転子の最大外周の輪郭円の直径ｄ（ｍ）、前記固定子と回転子との平均隙間でのエアギャップ磁束密度の基本波振幅Ｂｍ１（Ｔ）、前記回転子の軸方向の長さＬ（ｍ）、各相の巻線の総直列巻数Ｎｓ及び永久磁石モータに給電するコンバーターの変換前の直流母線電圧Ｕｄｃ（Ｖ）が、０．００３Ｕｄｃ≦（Ｄ＋ｄ）×Ｌ×Ｂｍ１×Ｎｓ≦０．００８Ｕｄｃに設定され、ここで、Ｄ、ｄ、Ｂｍｌ、Ｌ、Ｕｄｃは、いずれも単位なしの値である。
【０００６】
本発明の実施例による永久磁石モータによれば、提供される永久磁石モータの重要なパラメータ範囲の設計が従来の圧縮機モータのパラメータ範囲と異なり、従来のパラメータ範囲を三角形巻線構造に適用した場合に生じる圧縮機のエネルギー効率の低下が改善されるので、圧縮機の永久磁石モータに三角形巻線構造を用いる応用の将来性が拡大する。
【０００７】
さらに、本発明の上記実施例による永久磁石モータは、さらに以下の追加的な技術的特徴を有する。
【０００８】
本発明の一実施例では、前記Ｕｄｃは、２５０≦Ｕｄｃ≦５４０を満たす。
【０００９】
更に、１．２≦（Ｄ＋ｄ）×Ｌ×Ｂｍ１×Ｎｓ≦４．０である。
【００１０】
本発明の一実施例では、前記Ｕｄｃは、Ｕｄｃ≦７２を満たす。
【００１１】
更に、０．０３≦（Ｄ＋ｄ）×Ｌ×Ｂｍ１×Ｎｓ≦０．５である。
【００１２】
本発明の一実施例では、各相の巻線は、１つまたは２つ以上のコイル群を有する。
【００１３】
本発明の一実施例では、前記Ａ相巻線の第２群のジョイントと前記Ｂ相巻線の第１群のジョイントは、同じ時点で電流が同一の位相を有し、前記Ｂ相巻線の第２群のジョイントと前記Ｃ相巻線の第１群のジョイントは、同じ時点で電流が同一の位相を有し、前記Ｃ相巻線の第２群のジョイントと前記Ａ相巻線の第１群のジョイントは、同じ時点で電流が同一の位相を有する。
【００１４】
本発明は、さらに、前述した永久磁石モータを備える圧縮機を提供する。
【００１５】
本発明は、さらに、圧縮機と、コンバーターとを備える冷凍システムを提供する。前記圧縮機は、前述した圧縮機であり、前記コンバーターは前記圧縮機に接続され、インバータを有する。
【００１６】
本発明の一実施例では、前記コンバーターは、さらに整流器を有する。
【図面の簡単な説明】
【００１７】
【図１】図１はコンバーターが接続された本発明の永久磁石モータの投影模式図である。
【図２】図２は図１の永久磁石モータの、軸垂直面における断面図である。
【図３】図３は図２の永久磁石モータの固定子巻線の異なる実施例の接続模式図である。
【図４】図４は図２の永久磁石モータの固定子巻線の異なる実施例の接続模式図である。
【図５】図５は本発明を用いる永久磁石モータのエアギャップ磁束密度波形図である。
【図６】図６は図５のエアギャップ磁束密度をフーリエ分解した後の基本波と高調波の比率図である。
【図７】図７は本発明の永久磁石モータが搭載される圧縮機１００のエネルギー効率と、従来技術の永久磁石モータ１が搭載される圧縮機１００のエネルギー効率の比較模式図である。
【図８】図８は本発明に係る圧縮機の模式図である。
【発明を実施するための形態】
【００１８】
以下、本発明の実施例を詳細に説明する。前記実施例の例は図面に示され、一貫して、同様または類似の参照番号は、同一または類似の要素および同一または類似の機能を有する要素を示す。以下に図面を参照しながら説明される実施例は例示的なものであり、本発明を解釈することを旨とし、本発明を限定するものと理解してはいけない。
【００１９】
圧縮機１００においては、永久磁石モータ１が三角形接続を用いると、製造性をある程度まで改善できる。三角形巻線では、従来の範囲どおり、磁気特性、寸法及び巻線等のパラメータを設定すると、モータ性能の低下、圧縮機１００のエネルギー効率の低下などの問題を引き起こす可能性がある。そのために、本発明は、新構造の永久磁石モータ１を提供する。
【００２０】
以下、図面を参照しながら、本発明の実施例の永久磁石モータ１を説明する。
【００２１】
本発明の実施例による永久磁石モータ１は、固定子１１と回転子１２を有し、前記固定子１１が固定子鉄芯１１１と固定子巻線１１２を有し、前記回転子１２が回転子鉄芯１２１と回転子鉄芯１２１に設置される永久磁石１２２を有し、前記固定子巻線１１２は、Ａ相巻線、Ｂ相巻線及びＣ相巻線を含み、前記Ａ相巻線の第２群のジョイントと前記Ｂ相巻線の第１群のジョイントが同一の引き出し線に接続され、前記Ｂ相巻線の第２群のジョイントと前記Ｃ相巻線の第１群のジョイントが同一の引き出し線に接続され、前記Ｃ相巻線の第２群のジョイントと前記Ａ相巻線の第１群のジョイントが同一の引き出し線に接続される。
【００２２】
前記固定子１１の最小内周の輪郭円の直径Ｄ（ｍ）、前記回転子１２の最大外周の輪郭円の直径ｄ（ｍ）、前記固定子・回転子１２の平均隙間でのエアギャップ磁束密度の基本波振幅Ｂｍ１（Ｔ）、前記回転子１２の軸方向の長さＬ（ｍ）、各相の巻線の総直列巻数Ｎｓ及び永久磁石モータ１に給電するコンバーターの変換前の直流母線電圧Ｕｄｃ（Ｖ）が、０．００３Ｕｄｃ≦（Ｄ＋ｄ）×Ｌ×Ｂｍ１×Ｎｓ≦０．００８Ｕｄｃに設定され、ここで、Ｄ、ｄ、Ｂｍｌ、Ｌ、Ｕｄｃは、いずれも単位なしの値である。さらに、固定子/回転子１２の平均隙間でのエアギャップ磁束密度の基本波振幅Ｂｍ１は、好ましくは２５℃における検出値である。
【００２３】
本発明の実施例による永久磁石モータ１では、提供される永久磁石モータ１の重要なパラメータ範囲の設計は従来の圧縮機１００モータのパラメータ範囲と異なり、従来のパラメータ範囲を三角形巻線構造に適用した場合に生じる圧縮機１００のエネルギー効率の低下が改善され、それにより圧縮機１００の永久磁石モータ１に三角形巻線構造を用いる応用の将来性が拡大する。
【００２４】
さらに、本発明の上記実施例による永久磁石モータ１は、さらに以下の追加的な技術的特徴を有する。
【００２５】
本発明の永久磁石モータ１は直流電流で給電されてもよく、交流電流で給電されてもよく、エネルギー効率を更に向上させるために、交流電気で給電される場合、前記Ｕｄｃは、２５０≦Ｕｄｃ≦５４０を満たす。更に、１．２≦（Ｄ＋ｄ）×Ｌ×Ｂｍ１×Ｎｓ≦４．０である。
【００２６】
直流電流で給電される場合、前記Ｕｄｃは、Ｕｄｃ≦７２を満たす。更に、０．０３≦（Ｄ＋ｄ）×Ｌ×Ｂｍ１×Ｎｓ≦０．５である。
【００２７】
勿論、実際には、本発明の永久磁石モータ１は、電源種類に対する要件が少なく、たとえば、上記「２５０≦Ｕｄｃ≦５４０」と「１．２≦（Ｄ＋ｄ）×Ｌ×Ｂｍ１×Ｎｓ≦４．０」を満たす直流電流で給電されてもよく、「Ｕｄｃ≦７２」と「０．０３≦（Ｄ＋ｄ）×Ｌ×Ｂｍ１×Ｎｓ≦０．５」を満たす交流電気で給電されてもよい。
【００２８】
本発明の一実施例では、各相の巻線は、１つまたは２つ以上のコイル群を有する。それにより、エネルギー消費量を更に向上させることができる。
【００２９】
本発明の一実施例では、前記Ａ相巻線の第２群のジョイントと前記Ｂ相巻線の第１群のジョイントは、同じ時点で電流が同一の位相を有し、前記Ｂ相巻線の第２群のジョイントと前記Ｃ相巻線の第１群のジョイントは、同じ時点で電流が同一の位相を有し、前記Ｃ相巻線の第２群のジョイントと前記Ａ相巻線の第１群のジョイントは、同じ時点で電流が同一の位相を有する。
【００３０】
本発明は、さらに、前述した永久磁石モータ１を備える圧縮機１００を提供する。
【００３１】
本発明の実施例による圧縮機１００は、前述した永久磁石モータ１を用いることで、圧縮機１００のエネルギー効率を向上させ、応用将来性を拡大する。
【００３２】
本発明は、さらに、圧縮機１００と、コンバーターとを備える冷凍システムを提供する。前記圧縮機１００は、前述した圧縮機１００であり、前記コンバーターは、前記圧縮機１００に接続され、インバータ７を有する。
【００３３】
本発明の一実施例では、前記コンバーターは、さらに、整流器８を有する。
【００３４】
図１は、コンバーターが接続される本発明の第１実施例の永久磁石モータ１の軸方向の投影模式図である。圧縮機１００は、固定子１１と回転子１２を有する三相の永久磁石モータ１を用いる。前記固定子１１が固定子鉄芯１１１と固定子巻線１１２を有する。回転子１２が回転子鉄芯１２１と回転子鉄芯１２１に設置される永久磁石１２２を有する。前記固定子巻線１１２のＡ相巻線の第２群のジョイントとＢ相巻線の第１群のジョイントが同一の引き出し線に接続され、この両群のジョイントは、同じ時点で電流が同一の位相を有する。前記固定子巻線１１２のＢ相巻線の第２群のジョイントとＣ相巻線の第１群のジョイントが同一の引き出し線に接続され、この両群ジョイントは、同じ時点で電流が同一の位相を有する。前記固定子巻線１１２のＣ相巻線の第２群のジョイントとＡ相巻線の第１群のジョイントが同一の引き出し線に接続され、この両群ジョイントは、同じ時点で電流が同一の位相を有する。
【００３５】
前記固定子１１の最小内周の輪郭円の直径Ｄ（ｍ）、前記回転子１２の最大外周の輪郭円の直径ｄ（ｍ）、前記固定子・回転子１２の平均隙間でのエアギャップ磁束密度の基本波振幅（２５℃）Ｂｍ１（Ｔ）、前記回転子１２の軸方向の長さＬ（ｍ）、各相の巻線の総直列巻数Ｎｓ及び永久磁石モータ１に給電するコンバーターの変換前の直流母線電圧Ｕｄｃ（ｖ）は、０．００３Ｕｄｃ≦（Ｄ＋ｄ）×Ｌ×Ｂｍ１×Ｎｓ≦０．００８Ｕｄｃに設定される。ここで、Ｄ、ｄ、Ｂｍｌ、Ｌ、Ｕｄｃは、いずれも単位なしの数値である。
【００３６】
永久磁石モータ１に接続されるコンバーターは、少なくとも、１つのインバータ７を含み、インバータ７の前端は直流電流であり、直流母線電圧はＵｄｃであり、インバータ７によって制御可能周波数の交流電気に変換される。給電電源が直流電流である場合、直流電源がインバータ７に直接接続され、直流→交流プロセスを達成し、給電電源が交流電気である場合、さらに整流器８を必要とし、交流電源が整流器８の入力側に接続され、整流器８の出力側がインバータ７の入力側に接続され、交流→直流→交流プロセスを達成する。
【００３７】
圧縮機１００分野では、本発明は、既存の技術と異なり、永久磁石モータ１の重要なパラメータの好適範囲を設定するとともに、三角形巻線構造を用いることで、固定子１１の優れた製造性を達成し、圧縮機１００の高効率を満たす。
【００３８】
図２は図１の永久磁石モータ１の、軸垂直面における断面図である。第１実施例では、永久磁石モータ１は９スロット６極構造である。各相の巻線は、３群のコイルを有し、各群のコイルが固定子１１の歯に巻回される。各相の巻線は１つの引込み線ジョイントと１つの引き出し線ジョイントを有し、同一相の巻線の異なる群のコイルの間が移行線を介して接続される。巻線ジョイントと引き出し線との間の接続方式を以下のように例として挙げる。Ａ相引き出し線ジョイント＋Ｂ相引込み線ジョイント→引き出し線一、Ｂ相引き出し線ジョイント＋Ｃ相引込み線ジョイント→引き出し線二、Ｃ相引き出し線ジョイント＋Ａ相引込み線ジョイント→引き出し線三。なお、本発明で言及された巻線接続は、複数の具体的な方式を有する。
【００３９】
図３は図２の永久磁石モータ１の巻線接続模式図である。第１実施例では、同一相の巻線の間は直列接続方式を用いる。一相巻線の３群のコイル巻数がそれぞれＮ１、Ｎ２、Ｎ３であると、該相巻線の総直列巻数がＮｓ＝Ｎ１＋Ｎ２＋Ｎ３である。
【００４０】
図４は本発明の第２実施例の巻線接続模式図である。第２実施例では、同一相の巻線の間は並列方式を用い、並列分岐の数は３である。一般的には、モータのバランス性を確保するために、並列方式では、同一相の各群のコイル巻数を近くし、好適には同じにする。並列された３群のコイルの巻数がいずれもＮ１であると、該巻線の総直列巻数Ｎｓ＝Ｎ１である。
【００４１】
図５は本発明を用いる永久磁石モータ１のエアギャップ磁束密度波形図である。固定子・回転子１２のギャップの中間位置、すなわち図２の（Ｄ＋ｄ）／２の円周上で、永久磁石モータ１のエアギャップ磁束密度を抽出し、１電気周期のエアギャップ磁束密度波形が図５に示される。埋め込み式の回転子１２の構造、固定子・回転子１２のコギング等の要因の影響で、エアギャップ磁束密度の波形は理想的な正弦波ではなく、波形は基本波以外、さらに高調波を有する。
【００４２】
図６は図５のエアギャップ磁束密度をフーリエ分解した後の基本波と高調波の比率図である。図６は、基本波と、基本波を除く最初の９級の高調波だけを挙げる。エアギャップ磁束密度は、永久磁石モータ１の性能とノイズを示す核心指標である。エネルギーが転化するとき、エアギャップ磁束密度の基本波は、回転子１２が回転して出力するように駆動することに対して主な作用を果たし、従って、エアギャップ磁束密度基本波の設計は特に重要である。
【００４３】
図７は、本発明の永久磁石モータ１が搭載される圧縮機１００のエネルギー効率と、従来技術の永久磁石モータ１が搭載される圧縮機１００のエネルギー効率の比較模式図である。一般的には、圧縮機１００は、低速では、統合パラメータ（Ｄ＋ｄ）×Ｌ×Ｂｍ１×Ｎｓの上昇に伴って、エネルギー効率が上昇傾向にあり、高速では、（Ｄ＋ｄ）×Ｌ×Ｂｍ１×Ｎｓの上昇に伴って、低下傾向にあり、ひいては、（Ｄ＋ｄ）×Ｌ×Ｂｍ１×Ｎｓがある臨界点より高いと、圧縮機１００は高速下で運転できない。母線電圧Ｕｄｃ＝３１０Ｖである圧縮機１００を例とすると、従来のスター巻線の永久磁石モータ１が搭載される場合、（Ｄ＋ｄ）×Ｌ×Ｂｍ１×Ｎｓ≦１．０（単位：Ｗｂ）の範囲内では、圧縮機１００は高速でのエネルギー効率が高いレベルに維持されるとともに、低速でのエネルギー効率を兼ね、変曲点の前に大きな値を選択することによって、圧縮機１００がすべての周波数帯域で優れた性能を持つことを確保し、本発明の巻線構造の永久磁石モータ１が搭載される場合、関連パラメータを従来の好適な範囲内に設定すると、低速では圧縮機１００のエネルギー効率が非常に低く、１．２≦（Ｄ＋ｄ）×Ｌ×Ｂｍ１×Ｎｓ≦４．０（単位：Ｗｂ）にすると、圧縮機１００はすべての周波数帯域で優れた性能を持つ。
【００４４】
図８は本発明に係る圧縮機１００模式図である。上記永久磁石モータ１以外、本発明の圧縮機１００は、さらに、シリンダ２、主軸受け３、副軸受け４、ピストン５及びクランクシャフト６等の圧縮部材を備える。
【００４５】
なお、本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはいけない。
【００４６】
なお、「第１」、「第２」の用語は、単に目的を説明するためのものであり、相対重要性を指示又は暗示するか、或いは示された技術的特徴の数を黙示的に指示すると理解してはいけない。そこで、「第１」、「第２」が限定されている特徴は、一つ又はより多くの該特徴を含むことを明示又は暗示するものである。本発明の説明において、他の明確且つ具体的な限定がない限り、「複数」とは、少なくとも二つ、例えば、二つ、三つを意味する。
【００４７】
本発明において、明確な規定と限定がない限り、「取り付ける」、「互いに接続する」、「接続する」、「固定する」などの用語の意味は広義に理解されるべきである。例えば、固定接続や、着脱可能な接続や、或いは一体的な接続でも可能である。機械的な接続や、電気的な接続も可能である。直接的に接続することや、その間に媒体を介して間接的に接続することや、二つの部品の内部が連通することや、あるいは二つの部品の間に相互の作用関係があることも可能である。明確な規定がない限り、当業者であれば、具体的な場合に応じて上記用語の本発明においての具体的な意味を理解することができる。
【００４８】
本発明において、明確な規定と限定がない限り、第１特徴が第２特徴の「上」又は「下」にあることは、第１特徴と第２特徴とが直接的に接触することを含んでも良いし、又は第１特徴と第２特徴とが、その間に媒体を介して間接的に接触することを含んでもよい。また、第１特徴が第２特徴の「上」、「上方」又は「以上」にあることは、第１特徴が第２特徴の真上又は斜め上にあることを含むか、或いは、単に第１特徴の水平高さが第２特徴より高いことだけを表す。第１特徴が第２特徴の「下」、「下方」又は「以下」にあることは、第１特徴が第２特徴の真下又は斜め下にあることを含むか、或いは、単に第１特徴の水平高さが第２特徴より低いことだけを表す。
【００４９】
本明細書の説明において、「一実施例」、「一部の実施例」、「例」、「具体的な例」又は「一部の例」などの用語を参考した説明とは、当該実施例又は例に合わせて説明された具体的な特徴、構造、材料、又は特徴が、本発明の少なくとも一つの実施例又は例に含まれることを意味する。本明細書において、前記用語に対する例示的な説明は必ずしも同一の実施例又は例を示すことではない。また、説明された具体的な特徴、構造、材料、又は特徴は、いずれか一つ又は複数の実施例又は例において適切な形態で結合することができる。なお、相互に矛盾しない場合、当業者であれば、本明細書における異なる実施例又は例、及び異なる実施例又は例における特徴を結合又は組合せすることができる。
【００５０】
以上、本発明の実施例を示して説明したが、なお、上記実施例は、例示的なものであり、本発明を限定するものと理解してはいけない。当業者は、本発明の範囲内で上記実施例に対して変更、修正、取り替え及び変形を行うことができる。
【符号の説明】
【００５１】
１００  圧縮機
２  シリンダ
３  主軸受け
４  副軸受け
５  ピストン
６  クランクシャフト
１  永久磁石モータ
１１  固定子
１２  回転子
１１１  固定子鉄芯
１１２  固定子巻線
１２１  回転子鉄芯
１２２  永久磁石
７  インバータ
８  整流器。  
【図１】
2020524477.tif 000003
【図２】
2020524477.tif 000004
【図３】
2020524477.tif 000005
【図４】
2020524477.tif 000006
【図５】
2020524477.tif 000007
【図６】
2020524477.tif 000008
【図７】
2020524477.tif 000009
【図８】
2020524477.tif 000010
【国際調査報告】
2020524477.tif 000011
2020524477.tif 000012
2020524477.tif 000013
2020524477.tif 000014